(57)【要約】  【解決手段】  ヘッド本体、環状壁および少なくとも一個のホールにより構成される。ヘッド本体の正面にはフェース板が結合される。環状壁はヘッド本体の周縁から後方へ延伸するように形成される。ホールは環状壁のトウ部の位置に設けられ、ヘッド本体の上半部が占める重量を減らし、ヘッド本体の重心を下方とヒール部へ向かって移動させることにより、ゴルフクラブの慣性モーメントを増やすことができるように構成されている。  【効果】  ヘッド本体の環状壁のトウ部の位置においてホールを設けさせ、ヘッド本体の重心を下方とヒールへ移動させることにより、慣性モーメントを増やすことができる。また、ホールとフェース板の背面において熱圧または射出成形により強化層を成形させることにより、構造の強度を強化すると共に、打球の振動を吸収することができる。【選択図】    図１
2005131283.tif 000002
【特許請求の範囲】
【請求項１】
ヘッド本体（１０）、環状壁（１２）および少なくとも一個のホール（１２２）により構成されるゴルフクラブヘッドの構造であって、ヘッド本体（１０）の正面にはフェース板（１１）が結合され、環状壁（１２）はヘッド本体（１０）の周縁から後方へ延伸するように形成され、少なくとも一個のホール（１２２）は環状壁（１２）のトウ部の位置に設けられ、ヘッド本体（１０）の上半部とトウ部が占める重量を減らし、ヘッド本体（１０）の重心を下方とヒール部へ向かって移動させることにより、ゴルフクラブの慣性モーメントを増やすことができることを特徴とするゴルフクラブヘッドの構造。
【請求項２】
ホール（１２２）はスルーホールであることを特徴とする請求項１記載のゴルフクラブヘッドの構造。
【請求項３】
ホール（１２２）はブラインドホールで、上記ブラインドホールの開口部は環状壁（１２）のトウ部の位置の外環面に設けられることを特徴とする請求項１記載のゴルフクラブヘッドの構造。
【請求項４】
ホール（１２２）には他に形質材料が充填されて強化充填塊（１６１）が形成されることにより、ホール（１２２）の構造の強度を強化すると共に、打球時に生じた振動を吸収することができることを特徴とする請求項１記載のゴルフクラブヘッドの構造。
【請求項５】
上記強化充填塊（１６１）は熱圧成形、射出成形の方式により製成されることを特徴とする請求項４記載のゴルフクラブヘッドの構造。
【請求項６】
上記軽質材料はカーボン、樹脂、高分子化合材料、チタン合金、アルミ合金、軽質合金、ゴムから選ぶことができることを特徴とする請求項４記載のゴルフクラブヘッドの構造。
【請求項７】
フェース板（１１）には他に強化層（１６）が設けられ、強化層（１６）は軽質材料により製成されることにより、フェース板（１１）の背面の構造の強度を強化すると共に、打球時に生じた振動を吸収することができることを特徴とする請求項１記載のゴルフクラブヘッドの構造。
【請求項８】
上記強化層（１６）は熱圧成形、射出成形の方式により製成されることを特徴とする請求項７記載のゴルフクラブヘッドの構造。
【請求項９】
上記軽質材料はカーボン、樹脂、高分子化合材料、チタン合金、アルミ合金、軽質合金、ゴムから選ぶことができることを特徴とする請求項７記載のゴルフクラブヘッドの構造。
【請求項１０】
上記フェース板（１１）は溶接、ろう付け、嵌設、圧合、螺設の方式によりヘッド本体（１０）に結合され、さらにフェース板（１１）の背面と環状壁（１２）の内周壁との境界には結合端縁（１１１）が形成され、強化層（１６）は結合端縁（１１１）を完全に被覆することにより、打球時において結合端縁（１１１）の集中応力を吸収することができることを特徴とする請求項７記載のゴルフクラブヘッドの構造。
【請求項１１】
上記環状壁（１２）の内周壁には他に環状溝（１２５）が形成され、環状溝（１２５）はヘッド本体（１０）とフェース板（１１）との結合端縁（１１１）に隣接するように形成されることにより、強化層（１６）を収容し、さらに強化層（１６）の結合の強度を増やすことができることを特徴とする請求項１０記載のゴルフクラブヘッドの構造。
【請求項１２】
強化層（１６）には他に後方へ延伸して延伸部（１６２）が形成され、延伸部（１６２）はヘッド本体（１０）の底部の環状壁（１２）の内周壁に緊密に結合されることを特徴とする請求項７記載のゴルフクラブヘッドの構造。
【請求項１３】
ヘッド本体（１０）の環状壁（１２）の末端には内径方向へ向かって延伸して環状フランジ（１２３）が形成されることにより、強化層（１６）と延伸部（１６２）が剥離するのを避けることを特徴とする請求項１２記載のゴルフクラブヘッドの構造。
【請求項１４】
ヘッド本体（１０）の底部の環状壁（１２）の内周壁には他に収容室（１２４）が凹むように設けられ、収容室（１２４）により重り（２０）を収容することができ、重り（２０）は強化層（１６）の延伸板により直接被覆して固定することができることを特徴とする請求項１２記載のゴルフクラブヘッドの構造。
【請求項１５】
ヘッド本体（１０）の底部の環状壁（１２）には他に凹欠口（１２６）が設けられ、凹欠口（１２６）により重り（２０）を結合することができることを特徴とする請求項１記載のゴルフクラブヘッドの構造。
【請求項１６】
重り（２０）は環状壁（１２）の内部に向かってフランジ（２１）が形成されることを特徴とする請求項１５記載のゴルフクラブヘッドの構造。
【発明の詳細な説明】
【技術分野】
【０００１】
本発明は、ゴルフクラブヘッドの構造に関するもので、特にトウ部の位置の重量を減らすことにより重心を調整することができるゴルフクラブヘッドの構造に係るものである。
【背景技術】
【０００２】
従来のゴルフクラブヘッドの構造としては、図１２、１３、１４に示すように、金属材質によりヘッド１が製成され、ヘッド１にはヘッド本体１０、フェース板１１、環状壁１２、ネック１３および振動吸収片１４が含まれる。フェース板１１はヘッド本体１０の正面に設けられ、フェース板１１は打球するのにもちいられる。環状壁１２はヘッド本体１０の周縁から後方へ延伸するように形成され、環状壁１２はヘッド本体１０の背面において囲むように開口部１２１が形成される。ネック１３はシャフト（図示せず）と結合するのに用いられる。振動吸収片１４はゴムまたはカーボンの材質により製成され、そして粘着層１４１を利用してフェース板１１の背面に粘着して結合することにより、打球時に生じた振動を吸収するようにとしたものがある。
【０００３】
また、従来のゴルフクラブヘッドの重心に関する構造としては、重心を通過した三つの慣性主軸（Ｉ１、Ｉ２、Ｉ３）が形成され、上記三つの慣性主軸（Ｉ１、Ｉ２、Ｉ３）の内に慣性主軸周囲の慣性モーメントは、最大の軸（Ｉ１）と重心を通過した最良な打撃面（３f）の法線のペクトル（１０１）が形成した角度θは１０°以上で、かつ９０°以下であるようにとしたものがある（例えば、特許文献１を参照）。
【特許文献１】中華民国專利公報公告番号第４５５４９８号
【発明の開示】
【発明が解決しようとする課題】
【０００４】
上記のような従来のゴルフクラブヘッドの構造においては、ヘッド１を製造する時、ヘッド本体１０の上半部の環状壁１２とネック１３が占める重量が大き過ぎると、ヘッド１の重心１５は相対的に高くなり、さらにフェース板１１の上半部の打球ゾーンまで偏ってしまう。その結果、ヘッド１の慣性モーメントを短縮してしまうだけではなく、さらにヘッド１が打球の応力を球体まで移転させる効率を下げてしまい、また重心１５と主要な打球ゾーンが一致しないことにより、ヘッド１に振動を与えてしまうため、ヘッド１の打球の性能と打球の安定性に大幅に影響を及ぼしてしまうという問題点があった。
【０００５】
また、図１４に示すように、フェース板１１は溶接、ろう付け、嵌設または圧合などの方式によりヘッド本体１０のフェース板結合部１０１に結合された時、フェース板１１とヘッド本体１０との境界には結合端縁１１１が形成され、例えば溶接路、ろう付けの溢材、嵌合位置または圧合位置である。打球時において、打球時に生じた振動により結合端縁１１１の付近では応力集中の現象が生じる。もし結合端縁１１１において上記応力集中を長期的に受けると、結合端縁において亀裂が生じるかもしれず、そしてヘッド１の構造の強度に影響を及ぼしてしまう。上記従来のヘッド１には振動吸収片１４が設けられているが、振動吸収片１４の粘着による結合の方式では振動吸収片１４とヘッド本体１０の間に隙間１４２が生じ易いという問題点は避けられない。その結果、実際に使用すると、振動吸収片１４は隙間１４２の阻隔により結合端縁１１１の集中応力を吸収することができず、さらに振動吸収片１４も粘着層１４１の阻隔によりフェース板１１の振動を吸収する効率は大幅に低減されるという問題点があった。
【０００６】
さらに、上記のような従来のゴルフクラブヘッドの重心に関する構造においては、その重心と主要な打球ゾーンが一致しないことにより、ヘッドに振動を与えてしまうため、ヘッドの打球の性能と打球の安定性に大幅に影響を及ぼしてしまうという問題点があった。このように、上記のような従来のゴルフクラブヘッドの構造をさらに改良しなければならない。
【０００７】
本発明はこのような問題点に鑑みて発明したものであって、その目的とするところは、ヘッド本体の環状壁のトウ部の位置においてホールを設けさせ、ホールによりヘッド本体の上半部が占める重量を減らし、ヘッド本体の重心を下方およびヒールへ移動させることにより、慣性モーメントを増やすことができる。また、ホールとフェース板の背面において熱圧または射出成形により強化層を成形させることにより、構造の強度を強化すると共に、打球の振動を吸収することができるため、ヘッド本体の慣性モーメントを増やしたり、打球の性能と振動吸収の効果を高めたり、ヘッド本体の使用寿命を延ばしたりすることができるゴルフクラブヘッドの構造を提供しようとするものである。
【０００８】
本発明の第一の目的は、ホールをヘッド本体の環状壁のトウ部の位置に設けさせることにより、ヘッド本体の慣性モーメントと打球の効率を増やすことができるゴルフクラブヘッドの構造を提供しようとするものである。
【０００９】
本発明の第二の目的は、フェース板の背面において熱圧または射出成形により強化層を形成させることにより、構造の強度、振動吸収の効果、打球の安定性と握り心地を高めることができるゴルフクラブヘッドの構造を提供しようとするものである。
【００１０】
本発明の第三の目的は、ホールの規格、形態と数量を調整することにより、ヘッド本体の上半部とトウ部が占める重量を適当に調整すると共に、重心の位置を調整することができるため、ヘッド本体の重心の調整の自由度を増やすことができるゴルフクラブヘッドの構造を提供しようとするものである。
【００１１】
本発明の第四の目的は、フェース板の背面において強化層を形成させ、強化層には延伸部が形成され、延伸部により重りを被覆して固定することができるため、重りの組立の製造工程を簡単にすることができるゴルフクラブヘッドの構造を提供しようとするものである。
【課題を解決するための手段】
【００１２】
上記目的を達成するために、本発明によるゴルフクラブヘッドの構造は、下記のようになるものである。すなわち、
ヘッド本体、環状壁および少なくとも一個のホールにより構成される。ヘッド本体の正面にはフェース板が結合される。環状壁はヘッド本体の周縁から後方へ延伸するように形成される。少なくとも一個のホールは環状壁のトウ部の位置に設けられ、ヘッド本体の上半部とトウ部が占める重量を減らし、ヘッド本体の重心を下方とヒール部へ向かって移動させることにより、ゴルフクラブの慣性モーメントを増やすことができる。
【００１３】
本発明によるゴルフクラブヘッドの構造は、ホールはスルーホールであることもできる。また、ホールはブラインドホールで、上記ブラインドホールの開口部は環状壁のトウ部の位置の外環面に設けられることもできる。また、ホールには他に形質材料が充填されて強化充填塊が形成されることにより、ホールの構造の強度を強化すると共に、打球時に生じた振動を吸収することもできる。また、上記強化充填塊は熱圧成形、射出成形の方式により製成されることもできる。また、上記軽質材料はカーボン、樹脂、高分子化合材料、チタン合金、アルミ合金、軽質合金、ゴムから選ぶこともできる。また、フェース板には他に強化層が設けられ、強化層は軽質材料により製成されることにより、フェース板の背面の構造の強度を強化すると共に、打球時に生じた振動を吸収することもできる。また、上記強化層は熱圧成形、射出成形の方式により製成されることもできる。また、上記軽質材料はカーボン、樹脂、高分子化合材料、チタン合金、アルミ合金、軽質合金、ゴムから選ぶこともできる。また、上記フェース板は溶接、ろう付け、嵌設、圧合、螺設の方式によりヘッド本体に結合され、さらにフェース板の背面と環状壁の内周壁との境界には結合端縁が形成され、強化層は結合端縁を完全に被覆することにより、打球時において結合端縁の集中応力を吸収することもできる。また、上記環状壁の内周壁には他に環状溝が形成され、環状溝はヘッド本体とフェース板との結合端縁に隣接するように形成されることにより、強化層を収容し、さらに強化層の結合の強度を増やすこともできる。また、強化層には他に後方へ延伸して延伸部が形成され、延伸部はヘッド本体の底部の環状壁の内周壁に緊密に結合されることもできる。また、ヘッド本体の環状壁の末端には内径方向へ向かって延伸して環状フランジが形成されることにより、強化層と延伸部が剥離するのを避けることもできる。また、ヘッド本体の底部の環状壁の内周壁には他に収容室が凹むように設けられ、収容室により重りを収容することができ、重りは強化層の延伸板により直接被覆して固定することもできる。また、ヘッド本体の底部の環状壁には他に凹欠口が設けられ、凹欠口により重りを結合することもできる。また、重りは環状壁の内部に向かってフランジが形成されることもできる。
【発明の効果】
【００１４】
本発明のゴルフクラブヘッドの構造によれば、ホールをヘッド本体の環状壁のトウ部の位置に設けさせることにより、ヘッド本体の慣性モーメントと打球の効率を増やすことができるという利点がある。
【００１５】
本発明のゴルフクラブヘッドの構造によれば、フェース板の背面において熱圧または射出成形により強化層を形成させることにより、構造の強度、振動吸収の効果、打球の安定性と握り心地を高めることができるという利点がある。
【００１６】
本発明のゴルフクラブヘッドの構造によれば、ホールの規格、形態と数量を調整することにより、ヘッド本体の上半部とトウ部が占める重量を適当に調整すると共に、重心の位置を調整することができるため、ヘッド本体の重心の調整の自由度を増やすことができるという利点がある。
【００１７】
本発明のゴルフクラブヘッドの構造によれば、フェース板の背面において強化層を形成させ、強化層には延伸部が形成され、延伸部により重りを被覆して固定することができるため、重りの組立の製造工程を簡単にすることができるという利点がある。
【発明を実施するための最良の形態】
【００１８】
本発明の実施の形態について、以下、図面を参照して説明する。
【００１９】
図１は本発明の実施例１のゴルフクラブヘッドの構造による組み立てられた状態の斜視図で、図２は本発明の実施例１のゴルフクラブヘッドの構造によるもう一つの組み立てられた状態の斜視図で、図３は本発明の実施例２のゴルフクラブヘッドの構造による組み立てられた状態の斜視図で、図４は本発明の実施例２のゴルフクラブヘッドの構造によるもう一つの組み立てられた状態の斜視図で、図５は本発明の実施例２のゴルフクラブヘッドの構造による組み立てられた状態の断面図で、図６は図５の局部の拡大図で、図７は本発明の実施例３のゴルフクラブヘッドの構造による組み立てられた状態の斜視図で、図８は本発明の実施例４のゴルフクラブヘッドの構造による組み立てられた状態の斜視図で、図９は本発明の実施例５のゴルフクラブヘッドの構造による組み立てられた状態の断面図で、図１０は本発明の実施例６のゴルフクラブヘッドの構造による組み立てられた状態の断面図で、図１１は本発明の実施例７のゴルフクラブヘッドの構造による組み立てられた状態の断面図である。
【実施例１】
【００２０】
図１、２を参照すると、本発明の実施例１のゴルフクラブヘッドの構造において金属、合金材質によりヘッド１が製成される。ヘッド１にはヘッド本体１０、環状壁１２、ネック１３および少なくとも一個のホール１２２が含まれる。ヘッド本体１０の正面にはフェース板結合部１０１が形成されることにより、フェース板１１と結合することができる。また、フェース板１１は例えば嵌設、圧合、硬ろう付け、溶接、螺設などの方式によりヘッド本体１０のフェース板結合部１０１に結合することができ、或いは一体成形によりヘッド本体１０に直接形成することができ、フェース板１１は打球するのに用いられることができる。さらに、環状壁１２はヘッド本体１０の周縁から後方へ延伸するように形成され、そして環状壁１２がヘッド本体１０の背面において囲むように開口部１２１が形成される。ネック１３はシャフト（図示せず）と結合するのに用いられる。ホール１２２はヘッド本体１０の環状壁１２のトウ部の位置に設けられ、ホール１２２は好ましくはスルーホールで、環状壁１２の内周壁と外環面を連通することができる。ホール１２２により環状壁１２の上半部とトウ部が占める重量を減らすことにより、ヘッド１の重心１５を下方およびヒール部へ移動させることができるため、ヘッド１の慣性モーメントをさらに相対的に増やすことができると共に、ヘッド１の打球の性能（飛距離）を有効に高めることができる。また、ヘッド本体１０（フェース板１２を含まない）は使用上の需要性に応じて例えば精密鋳造、鋳造、機械加工、圧力鋳造、鍛造、射出成形などの方式により一体成形になるように製造したり、或いは分段接合の方式により一体になるように組み立てたりすることができる。
【実施例２】
【００２１】
図３、４、５、６を参照すると、本発明の実施例２のゴルフクラブヘッドの構造が掲示される。実施例１と比較し、実施例２においてはさらにフェース板１１の背面には強化層１６が形成されることにより、フェース板１１の構造の強度を高めると共に、フェース板１１を支持することができる。強化層１６はホール１２２を経てまたは開口部１２１から適当な軽質材料をフェース板１１の背面に直接結合させてなるものである。また、強化層１６は通常として一体に延伸して強化充填塊１６１が形成されるため、ホール１２２を充填してヘッド１の外観を増やすことができる。強化層１６と強化充填塊１６１は好ましくは熱圧または射出成形の方式により製成され、さらに上記形質材料は例えばカーボン、樹脂（例えばエポキシ樹脂）、高分子化合材料、ゴムまたは軽質合金（例えばチタン合金、アルミ合金）およびその粘性複合粉末から選ぶことができる。強化層１６は熱圧成形または射出成形の方式を利用したため、粘着材を使用することなく、フェース板１１の背面に完全かつ緊密に結合することができる。
【００２２】
再び図６を参照すると、強化層１６によりフェース板１１とヘッド本体１０の境界に形成された結合端縁１１（例えば溶接路、ろう付けの溢材、嵌合位置または圧合位置）を完全に被覆することにより、打球時において強化層１６により結合端縁１１１の集中応力を吸収することができるため、結合端縁１１１が長期に渡って集中応力を受けた影響により亀裂が生じるのを避けることができると共に、さらにフェース板１１とヘッド１との結合の関係を強化してヘッド１の使用寿命を延ばすことができる。その他に、強化層１６の周縁はヘッド本体１０の内周壁に直接緊密に被覆することができるため、打球時において強化層１６によりフェース板１１が生じた振動を直接吸収することができると共に、ヘッド本体１０の正面と環状壁１２が生じた振動を吸収することもできる。その結果、ヘッド１は強化層１６により強度が最高となる構造で振動を吸収する効果を有すると共に、ヘッド１の打球の安定性と握り心地をさらに高めることができる。
【実施例３】
【００２３】
図７を参照すると、本発明の実施例３のゴルフクラブヘッドの構造が掲示される。実施例１と比較し、実施例３においてはホール１２２は例えばブラインドホールに形成され、そしてホール１２２の開口部は環状壁１２の外環面に設けられる。また、ホール１２２の規格と形態を調整することにより、例えばホール１２２のサイズをさらに大きく拡大させることにより、ヘッド１の上半部とトウ部が占める重量を適当に調整することができると共に、重心１５の位置を調整することができる。このように、ホール１２２により同様にヘッド１の慣性モーメントを増やすことができると共に、ヘッド１の打球の性能（飛距離）を高めることができる。また、ホール１２２も熱圧または射出成形の方式を利用して強化充填塊１６１を形成することにより、ホール１２２を充填してヘッド１の外観を増やすことができる。
【実施例４】
【００２４】
図８を参照すると、本発明の実施例４のゴルフクラブヘッドの構造が掲示される。実施例２と比較し、実施例４においてはホール１２２の数が増設され、例えば環状壁１２のトウ部の位置において隣接する一対のホール１２２が形成される。ホール１２２は好ましくはスルーホールに形成され、ホール１２２とフェース板１１の背面にも同様に熱圧または射出成形の方式により強化充填塊１６１と強化層１６が形成される。このように、ホール１２２により同様に環状壁１２の上半部とトウ部が占める重量を減らすことができることにより、ヘッド１の重心１５を下方およびヒール部へ移動させることができるため、ヘッド１の慣性モーメントを増やすことができると共に、ヘッド１の打球の性能（飛距離）を高めることができる。さらに、ヘッド１の打球の安定性と握り心地をさらに高めることができる。
【実施例５】
【００２５】
図９を参照すると、本発明の実施例５のゴルフクラブヘッドの構造が掲示される。実施例２と比較し、実施例５においては強化層１６の下端にはさらに後方へ延伸して延伸部１６２が形成され、また環状壁１２には環状フランジ１２３と収容室１２４が形成される。環状フランジ１２３は内へ向かって環状壁１２の末端に突出するように形成され、収容室１２４はヘッド１の低部の環状壁１２の内周壁に形成され、収容室１２４により重り２０を収容することができるため、ヘッド１の重心１５の位置を調整することができる。組立時において、先ず重り２０を収容室１２４に収容し、それから圧熱または射出成形の方式により強化層１６と延伸部１６２を形成させることにより、延伸部１６２の末端は環状フランジ１２３の内側に緊密に結合され、環状フランジ１２３により強化層１６と延伸部１６２を制限することができるため、強化層１６と延伸部１６２が外へ向かってヘッド１の開口部１２１から離脱するのを避けることができる。また、延伸部１６２により重り２０を被覆して固定することができるため、重り２０の組立の製造工程を簡単にすることができる。また、本発明においては重り２０の規格と成分を制限しておらず、使用上の需要性に応じて変化を選択することができる。
【実施例６】
【００２６】
図１０を参照すると、本発明の実施例６のゴルフクラブヘッドの構造が掲示される。実施例５と比較し、実施例６においてはヘッド１にはホール１２２、強化層１６と重り２０が設けられるだけではなく、ヘッド１にはさらに環状溝１２５が形成される。環状溝１２５は結合端縁１１１の後方に隣接し、そして環状壁１２の内周壁の上半部と側辺に環設するように形成される。環状溝１２５は強化層１６を収容するのに用いられることができ、環状溝１２５により強化層１６の結合の強度を増やして強化層１６が剥離するのを防止することができるだけではなく、強化層１６とフェース板１１を同時にすることができるため、全体の構造の強度、振動吸収の効果、打球の安定性および握り心地を高めることができる。
【実施例７】
【００２７】
図１１を参照すると、本発明の実施例７のゴルフクラブヘッドの構造が掲示される。実施例５と比較し、実施例７においてはヘッド１にはホール１２２と強化層１６が設けられるだけではなく、ヘッド１にはさらに環状壁１２の底部において凹欠口１２６が形成されるため、重り２０と結合することができる。重り２０は溶接、ろう付けと螺設などの方式により凹欠部１２６に適当に結合されることができる。さらに重り２０にはフランジ２１が形成され、フランジ２１は開口部１２１の内部に向かって延伸するように形成される。これにより、延伸部１６２の末端は同様にフランジ２１の内側に直接緊密に結合されることができ、フランジ２１により強化層１６と延伸部１６２を制限することができるため、強化層１６と延伸部１６２が外へ向かってヘッド１の開口部１２１から離脱するのを避けることができる。また、重り２０によりヘッド１の重心１５の位置を調整することができる。さらに、本発明においては重り２０の規格と成分を制限しておらず、使用上の需要性に応じて変化を選択することができる。
【産業上の利用可能性】
【００２８】
上述の如く、従来のゴルフクラブヘッドの構造によれば、重心の位置を有効に調整することができず、さらに結合端縁１１１の集中応力を完全に吸収することができないという問題点があったが、本発明のゴルフクラブヘッドの構造によれば、環状壁のトウ部の位置にホールを形成させ、またホールとフェース板の背面において熱圧または射出成形の方式により強化層と強化充填塊を形成させ、さらに強化層の延伸部を利用して重りを被覆して固定することにより、ヘッドの慣性モーメント、打球の性能、振動吸収の効果、重心調整の自由度、打球の安定性と握り心地を増やすことができる。
【００２９】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００３０】
【図１】本発明の実施例１のゴルフクラブヘッドの構造による組み立てられた状態の斜視図である。
【図２】本発明の実施例１のゴルフクラブヘッドの構造によるもう一つの組み立てられた状態の斜視図である。
【図３】本発明の実施例２のゴルフクラブヘッドの構造による組み立てられた状態の斜視図である。
【図４】本発明の実施例２のゴルフクラブヘッドの構造によるもう一つの組み立てられた状態の斜視図である。
【図５】本発明の実施例２のゴルフクラブヘッドの構造による組み立てられた状態の断面図である。
【図６】図５の局部の拡大図である。
【図７】本発明の実施例３のゴルフクラブヘッドの構造による組み立てられた状態の斜視図である。
【図８】本発明の実施例４のゴルフクラブヘッドの構造による組み立てられた状態の斜視図である。
【図９】本発明の実施例５のゴルフクラブヘッドの構造による組み立てられた状態の断面図である。
【図１０】本発明の実施例６のゴルフクラブヘッドの構造による組み立てられた状態の断面図である。
【図１１】本発明の実施例７のゴルフクラブヘッドの構造による組み立てられた状態の断面図である。
【図１２】従来のゴルフクラブヘッドの構造による組み立てられた状態の斜視図である。
【図１３】従来のゴルフクラブヘッドの構造による組み立てられた状態の断面図である。
【図１４】図１３の局部の拡大図である。
【符号の説明】
【００３１】
１    ヘッド                          １０    ヘッド本体
１０１    フェース板結合部                １１    フェース板
１１１    結合端縁                        １２    環状壁
１２１    開口部                        １２２    ホール
１２３    環状フランジ                  １２４    収容室
１２５    環状溝                        １２６    凹欠口
１３    ネック                          １４    振動吸収片
１４１    粘着層                        １４２    隙間
１５    重心                            １６    強化層
１６１    強化充填塊                    １６２    延伸部
２０    重り                            ２１    フランジ
【図１】
2005131283.tif 000003
【図２】
2005131283.tif 000004
【図３】
2005131283.tif 000005
【図４】
2005131283.tif 000006
【図５】
2005131283.tif 000007
【図６】
2005131283.tif 000008
【図７】
2005131283.tif 000009
【図８】
2005131283.tif 000010
【図９】
2005131283.tif 000011
【図１０】
2005131283.tif 000012
【図１１】
2005131283.tif 000013
【図１２】
2005131283.tif 000014
【図１３】
2005131283.tif 000015
【図１４】
2005131283.tif 000016